(57)【要約】【課題】配信先となるユーザが利用可能なプリンタを意識することなく文書を配信することを可能とする。【解決手段】情報の受け取り先となるユーザを特定するユーザ特定情報とそのユーザに送られるドキュメント情報とを受信し（Ｓ１０）、受信されたユーザ特定情報に基づいて、そのユーザ特定情報で特定されるユーザが利用可能なプリンタを選択し（Ｓ１２）、選択されたプリンタに対して受信されたドキュメント情報を送信する（Ｓ２２）を行う。【選択図】図３
2008040935.tif 000002
【特許請求の範囲】
【請求項１】
受け取り先となるユーザを特定するユーザ特定情報とドキュメント情報又はドキュメント情報を特定するドキュメント特定情報とを関連付けて出力する配信者用装置と、
前記配信者用装置から送信されたユーザ特定情報とドキュメント情報又はドキュメント特定情報とを受信する情報受信手段と、
前記情報受信手段において受信されたユーザ特定情報に基づいて、そのユーザ特定情報で特定されるユーザが利用可能なプリンタを選択するプリンタ選択手段と、
前記プリンタ選択手段において選択されたプリンタに対して前記情報受信手段において受信されたドキュメント情報又はドキュメント特定情報によって特定されるドキュメント情報を送信する情報送信手段と、
を備えた文書配信サーバと、
前記文書配信サーバからドキュメント情報を受信する印刷情報受信手段を備えたプリンタと、
を含むことを特徴とする文書配信システム。
【請求項２】
情報の受け取り先となるユーザを特定するユーザ特定情報とそのユーザに送られるドキュメント情報とを受信する情報受信手段と、
前記情報受信手段において受信されたユーザ特定情報に基づいて、そのユーザ特定情報で特定されるユーザが利用可能なプリンタを選択するプリンタ選択手段と、
前記プリンタ選択手段において選択されたプリンタに対して前記情報受信手段において受信されたドキュメント情報を送信する情報送信手段と、
を備えることを特徴とする文書配信サーバ。
【請求項３】
情報の受け取り先となるユーザを特定するユーザ特定情報と、そのユーザに送られるドキュメント情報を特定するドキュメント特定情報とを受信する情報受信手段と、
前記情報受信手段において受信されたユーザ特定情報に基づいて、そのユーザ特定情報で特定されるユーザが利用可能なプリンタを選択するプリンタ選択手段と、
前記プリンタ選択手段において選択されたプリンタに対して、前記情報受信手段において受信されたドキュメント特定情報で特定されるドキュメント情報を送信する情報送信手段と、
を備えることを特徴とする文書配信サーバ。
【請求項４】
請求項２又は３に記載の文書配信サーバであって、
ユーザ特定情報とユーザ特定情報によって特定されるユーザが利用可能なプリンタとを関連付けるユーザデータベースを記憶するユーザデータベース記憶手段を参照して、
前記プリンタ選択手段は、前記情報受信手段において受信されたユーザ特定情報に関連付けられているプリンタを選択することを特徴とする文書配信サーバ。
【請求項５】
請求項２又は３に記載の文書配信サーバであって、
ユーザ特定情報と、ユーザ特定情報によって特定されるユーザが利用可能なプリンタとを関連付けるユーザデータベース記憶手段と、
前記ユーザデータベースに登録されているプリンタと前記ユーザ特定情報によって特定されるユーザのプリンタの利用頻度と、を関連付けるプリンタデータベースを記憶するプリンタデータベース記憶手段を参照して、
前記プリンタ選択手段は、前記情報受信手段において受信されたユーザ特定情報に関連付けられているプリンタの中からユーザの利用頻度に基づいてプリンタを選択することを特徴とする文書配信サーバ。
【請求項６】
請求項２又は３に記載の文書配信サーバであって、
ユーザ特定情報と、ユーザ特定情報によって特定されるユーザが利用可能なプリンタとを関連付けるユーザデータベース記憶手段と、
前記ユーザデータベースに登録されているプリンタと前記ユーザ特定情報によって特定されるユーザのプリンタのステータス情報と、を関連付けるプリンタデータベースを記憶するプリンタデータベース記憶手段を参照して、
前記プリンタ選択手段は、前記ユーザデータベース記憶手段に保持されているユーザデータベースを参照して、前記情報受信手段において受信されたユーザ特定情報に関連付けられているプリンタの中からプリンタのステータス情報に基づいてプリンタを選択することを特徴とする文書配信サーバ。
【請求項７】
請求項４に記載の文書配信サーバであって、
前記プリンタ選択手段は、前記情報受信手段において受信されたユーザ特定情報に関連付けられている総てのプリンタを選択することを特徴とする文書配信サーバ。
【請求項８】
請求項２又は３に記載の文書配信サーバであって、
前記情報送信手段は、前記プリンタ選択手段において選択されたプリンタに対してドキュメント情報とそのドキュメント情報の印刷有効期限とを送信することを特徴とする文書配信サーバ。
【請求項９】
請求項２又は３に記載の文書配信サーバであって、
前記情報受信手段において受信されたドキュメント情報、又は、前記情報受信手段において受信されたドキュメント特定情報で特定されるドキュメント情報、に対してセキュリティ保護のための処理を施す保護処理手段をさらに備え、
前記情報送信手段は、前記プリンタ選択手段において選択されたプリンタに対して前記保護処理手段において処理されたドキュメント情報を送信することを特徴とする文書配信サーバ。
【請求項１０】
請求項２又は３に記載の文書配信サーバであって、
前記情報受信手段において、１つのドキュメント情報又は１つのドキュメント特定情報に複数のユーザ特定情報が関連付けられて受信された場合、
前記プリンタ選択手段は、前記情報受信手段において受信された複数のユーザ特定情報から順に選択されたユーザ特定情報で特定されるユーザが利用可能なプリンタを選択することを特徴とする文書配信サーバ。
【請求項１１】
請求項１０に記載の文書配信サーバであって、
前記情報送信手段から送信されたドキュメント情報の印刷完了通知を取得する印刷完了通知受信手段をさらに備え、
前記プリンタ選択手段は、前記印刷完了通知受信手段において印刷完了通知を受けたユーザ以外のユーザが利用可能なプリンタを選択することを特徴とする文書配信サーバ。
【請求項１２】
コンピュータに、
情報の受け取り先となるユーザを特定するユーザ特定情報とそのユーザに送られるドキュメント情報とを受信し、
前記受信されたユーザ特定情報に基づいて、そのユーザ特定情報で特定されるユーザが利用可能なプリンタを選択し、
前記選択されたプリンタに対して前記受信されたドキュメント情報を送信する、
処理を実行させることを特徴とする文書配信サーバプログラム。
【請求項１３】
コンピュータに、
情報の受け取り先となるユーザを特定するユーザ特定情報と、そのユーザに送られるドキュメント情報を特定するドキュメント特定情報とを受信し、
前記受信されたユーザ特定情報に基づいて、そのユーザ特定情報で特定されるユーザが利用可能なプリンタを選択し、
前記選択されたプリンタに対して、前記受信されたドキュメント特定情報で特定されるドキュメント情報を送信する、
処理を実行させることを特徴とする文書配信サーバプログラム。
【発明の詳細な説明】
【技術分野】
【０００１】
本発明は、文書配信システム、文書配信サーバ及び文書配信サーバプログラムに関する。
【背景技術】
【０００２】
会議等で使用された資料を関係者に配布する場合、電子情報としてネットワーク経由でその関係者の近くのネットワークプリンタに出力させる方法がある。このとき、ネットワークプリンタが複数のユーザによって共有されている場合、機密情報や重要文書等の関係者以外には閲覧されたくない情報が含まれる文書（以下、「親展文書」という）を配信すると関係者以外のユーザに内容を見られてしまうおそれがある。
【０００３】
特許文献１には、ホストコンピュータ又はプリンタにジョブ番号に対してパスワードを設定し、プリンタの操作パネルからジョブ番号と対応するパスワードを入力することによって、パスワードを知っている関係者以外には印刷が行えないようにする方法が開示されている。
【０００４】
【特許文献１】特開平１０−２３５９７４号公報
【発明の開示】
【発明が解決しようとする課題】
【０００５】
ところで、複数の関係者にまとめて親展文書を送信したい場合には、それらの関係者の数だけ印刷指示を行う必要がある。この場合、親展文書の配信元であるユーザの作業負担が大きくなるおそれがある。
【０００６】
また、送信元のユーザが、親展文書の送信先となる関係者が利用することができるネットワークプリンタを把握できていない場合には親展文書をどこへ送信すれば良いか決められず、親展文書を送信できない問題が生じる可能性がある。
【０００７】
また、送信先の関係者が利用できるネットワークプリンタを送信元のユーザが把握している場合でも、配信先となるユーザが利用可能であるネットワークプリンタの機種の数だけプリンタドライバを送信元のユーザのコンピュータにインストールする必要がある。これは、コンピュータのリソースの消費と、プリンタドライバのインスール作業の負担の増大という問題を引き起こすおそれがある。
【０００８】
本発明は、上記問題を鑑みて、文書配信システム、文書配信サーバ及び文書配信サーバプログラムを提供することを目的とする。
【課題を解決するための手段】
【０００９】
本発明は、受け取り先となるユーザを特定するユーザ特定情報とドキュメント情報又はドキュメント情報を特定するドキュメント特定情報とを関連付けて出力する配信者用装置と、前記配信者用装置から送信されたユーザ特定情報とドキュメント情報又はドキュメント特定情報とを受信する情報受信手段と、前記情報受信手段において受信されたユーザ特定情報に基づいて、そのユーザ特定情報で特定されるユーザが利用可能なプリンタを選択するプリンタ選択手段と、前記プリンタ選択手段において選択されたプリンタに対して前記情報受信手段において受信されたドキュメント情報又はドキュメント特定情報によって特定されるドキュメント情報を送信する情報送信手段と、を備えた文書配信サーバと、前記文書配信サーバからドキュメント情報を受信する印刷情報受信手段を備えたプリンタと、を含むことを特徴とする文書配信システムである。
【００１０】
また、本発明は、情報の受け取り先となるユーザを特定するユーザ特定情報とそのユーザに送られるドキュメント情報とを受信する情報受信手段と、前記情報受信手段において受信されたユーザ特定情報に基づいて、そのユーザ特定情報で特定されるユーザが利用可能なプリンタを選択するプリンタ選択手段と、前記プリンタ選択手段において選択されたプリンタに対して前記情報受信手段において受信されたドキュメント情報を送信する情報送信手段と、を備えることを特徴とする文書配信サーバである。
【００１１】
この発明に係る文書配信サーバは、コンピュータに、情報の受け取り先となるユーザを特定するユーザ特定情報とそのユーザに送られるドキュメント情報とを受信し、前記受信されたユーザ特定情報に基づいて、そのユーザ特定情報で特定されるユーザが利用可能なプリンタを選択し、前記選択されたプリンタに対して前記受信されたドキュメント情報を送信する、処理を実行させることによって実現することができる。
【００１２】
また、本発明は、情報の受け取り先となるユーザを特定するユーザ特定情報と、そのユーザに送られるドキュメント情報を特定するドキュメント特定情報とを受信する情報受信手段と、前記情報受信手段において受信されたユーザ特定情報に基づいて、そのユーザ特定情報で特定されるユーザが利用可能なプリンタを選択するプリンタ選択手段と、前記プリンタ選択手段において選択されたプリンタに対して、前記情報受信手段において受信されたドキュメント特定情報で特定されるドキュメント情報を送信する情報送信手段と、を備えることを特徴とする文書配信サーバである。
【００１３】
この発明に係る文書配信サーバは、コンピュータに、情報の受け取り先となるユーザを特定するユーザ特定情報と、そのユーザに送られるドキュメント情報を特定するドキュメント特定情報とを受信し、前記受信されたユーザ特定情報に基づいて、そのユーザ特定情報で特定されるユーザが利用可能なプリンタを選択し、前記選択されたプリンタに対して、前記受信されたドキュメント特定情報で特定されるドキュメント情報を送信する、処理を実行させることにより実現することができる。
【００１４】
ここで、ユーザ特定情報とユーザ特定情報によって特定されるユーザが利用可能なプリンタとを関連付けるユーザデータベースを記憶するユーザデータベース記憶手段を参照して、前記プリンタ選択手段は、前記情報受信手段において受信されたユーザ特定情報に関連付けられているプリンタを選択するものとしてもよい。
【００１５】
また、ユーザ特定情報と、ユーザ特定情報によって特定されるユーザが利用可能なプリンタとを関連付けるユーザデータベース記憶手段と、前記ユーザデータベースに登録されているプリンタと前記ユーザ特定情報によって特定されるユーザのプリンタの利用頻度と、を関連付けるプリンタデータベースを記憶するプリンタデータベース記憶手段を参照して、前記プリンタ選択手段は、前記情報受信手段において受信されたユーザ特定情報に関連付けられているプリンタの中からユーザの利用頻度に基づいてプリンタを選択するものとしてもよい。
【００１６】
また、ユーザ特定情報と、ユーザ特定情報によって特定されるユーザが利用可能なプリンタとを関連付けるユーザデータベース記憶手段と、前記ユーザデータベースに登録されているプリンタと前記ユーザ特定情報によって特定されるユーザのプリンタのステータス情報と、を関連付けるプリンタデータベースを記憶するプリンタデータベース記憶手段を参照して、前記プリンタ選択手段は、前記ユーザデータベース記憶手段に保持されているユーザデータベースを参照して、前記情報受信手段において受信されたユーザ特定情報に関連付けられているプリンタの中からプリンタのステータス情報に基づいてプリンタを選択するものとしてもよい。
【００１７】
また、前記プリンタ選択手段は、前記ユーザデータベース記憶手段に保持されているユーザデータベースを参照して、前記情報受信手段において受信されたユーザ特定情報に関連付けられている総てのプリンタを選択するものとしてもよい。
【００１８】
また、前記情報送信手段は、前記プリンタ選択手段において選択されたプリンタに対してドキュメント情報とそのドキュメント情報の印刷有効期限とを送信するものとしてもよい。
【００１９】
また、前記情報受信手段において受信されたドキュメント情報、又は、前記情報受信手段において受信されたドキュメント特定情報で特定されるドキュメント情報、に対してセキュリティ保護のための処理を施す保護処理手段をさらに備え、前記情報送信手段は、前記プリンタ選択手段において選択されたプリンタに対して前記保護処理手段において処理されたドキュメント情報を送信するものとしてもよい。
【００２０】
また、前記情報受信手段において、１つのドキュメント情報又は１つのドキュメント特定情報に複数のユーザ特定情報が関連付けられて受信された場合、前記プリンタ選択手段は、前記情報受信手段において受信された複数のユーザ特定情報から順に選択されたユーザ特定情報で特定されるユーザが利用可能なプリンタを選択するものとしてもよい。
【００２１】
また、前記情報送信手段から送信されたドキュメント情報の印刷完了通知を取得する印刷完了通知受信手段をさらに備え、前記プリンタ選択手段は、前記印刷完了通知受信手段において印刷完了通知を受けたユーザ以外のユーザが利用可能なプリンタを選択するものとしてもよい。
【発明の効果】
【００２２】
請求項１，２，３，１２及び１３に記載の発明によれば、配信元のユーザは配信先となるユーザが利用可能なプリンタを意識することなく容易に文書を配信することができる。
【００２３】
請求項４に記載の発明によれば、ユーザデータベースを用いることによって、文書配信処理をより簡潔かつ高速に行うことができる。
【００２４】
請求項５に記載の発明によれば、出力を行うプリンタを配信先のユーザが頻繁に利用するプリンタにすることができ、配信先のユーザの利便性を高めることができる。
【００２５】
請求項６に記載の発明によれば、配信先のユーザが利用可能なプリンタが複数ある場合に出力可能な状態となっているプリンタを選択して出力させることができ、配信先のユーザの利便性を高めることができる。
【００２６】
請求項７に記載の発明によれば、配信先のユーザが利用可能なプリンタが複数ある場合に総てのプリンタから出力を可能とすることができ、配信先のユーザの利便性を高めることができる。
【００２７】
請求項８に記載の発明によれば、親展文書等の配信の期限を設定することができ、機密性を高めることができる。
【００２８】
請求項９に記載の発明によれば、親展文書等のセキュリティ保護を強化する処理を文書配信サーバで一括して行うことができ、配信元のユーザの処理の負担を軽減することができる。
【００２９】
請求項１０に記載の発明によれば、複数の配信先のユーザに順に文書を送信することができる。
【００３０】
請求項１１に記載の発明によれば、回覧のように複数の配信先のユーザに順番に文書を閲覧させることができる。
【発明を実施するための最良の形態】
【００３１】
＜装置構成＞
本発明の実施の形態における文書配信システムは、図１に示すように、配信者用コンピュータ１０、親展文書配信サーバ１２、ネットワークプリンタ１４（１４ａ，１４ｂ・・）、及び、受信者用コンピュータ１６（１６ａ，１６ｂ・・）を含んで構成される。配信者用コンピュータ１０、親展文書配信サーバ１２、ネットワークプリンタ１４、及び、受信者用コンピュータ１６は、情報交換が互いに可能となるようにネットワークを介して相互に接続される。
【００３２】
配信者用コンピュータ１０、親展文書配信サーバ１２及び受信者用コンピュータ１６は、一般的なコンピュータを含んで構成される。すなわち、制御部（ＣＰＵ）、半導体メモリ等の記憶部、キーボード等の入力部、ディスプレイ等の出力部及びネットワークインターフェースを備えるコンピュータで構成することができる。
【００３３】
親展文書配信サーバ１２は、内蔵する記憶部に格納されている親展文書配信プログラムを実行することによって、図１に示すように、印刷要求受信手段２０、印刷情報管理手段２２、情報抽出手段２４、印刷データ生成手段２６及び印刷データ送信手段２８として機能する。これらの機能は、後述する親展文書配信処理において親展文書配信サーバ１２が実行する処理の工程に対応するものである。
【００３４】
ネットワークプリンタ１４は、ネットワークインターフェースを備えたプリンタである。ネットワークプリンタ１４は、図２に示すように、制御部３０、記憶部３２、コントロールパネル３４、画像形成部３６及びネットワークインターフェース３８を含んで構成される。
【００３５】
制御部３０は、ＣＰＵを含んで構成され、各部を統合的に制御する。記憶部３２は、制御部３０で実行されるプリンタ制御プログラムを格納すると共に、ネットワーク等を介して取得された画像データ等の各種情報を一時的に保持する。コントロールパネル３４は、ユーザからの情報の入力及びユーザへの情報の提示を行うものであり、例えば、液晶タッチパネル等を含んで構成することができる。画像形成部３６は、制御部３０からの印刷指示を受けて、紙媒体等の記録媒体上に記憶部３２に保持されている画像データに基づいた画像を形成する。画像形成部３６は、例えば、電子写真方式の画像形成装置を含んで構成することができる。ネットワークインターフェース３８は、ネットワークを介して、配信者用コンピュータ１０、親展文書配信サーバ１２及び受信者用コンピュータ１６ａ，１６ｂ等の情報端末と相互に情報の授受を行う。
【００３６】
＜親展文書配信処理＞
以下、図３に示すフローチャートに沿って本実施の形態における親展文書配信処理を説明する。親展文書配信処理は、親展文書配信サーバ１２において、親展文書配信プログラムを実行することによって実現される。
【００３７】
ステップＳ１０では、配信者用コンピュータ１０から親展文書の配信を指示する配信情報が受信される。親展文書配信サーバ１２の制御部は、ネットワークインターフェースを用いてネットワークを介して、配信者用コンピュータ１０から配信情報を受信する。ステップＳ１０は、図１に示す印刷要求受信手段２０に相当する。
【００３８】
配信情報は、図４に示すように、配信先となるユーザを特定するユーザ特定情報、配信対象となるドキュメント情報（以下では、画像データとして説明する）、印刷の条件を示す印刷設定情報、及び、発信元特定情報を含む。ユーザ特定情報は、例えば、図５に示すように各ユーザに固有に与えられたユーザ名及び配信先メールアドレスを含む。また、各ユーザがネットワークプリンタ１４で画像形成処理を実行する際に認証処理に用いられる認証情報（ここでは、パスワード）を含んでもよい。印刷設定情報は、図６に示すように、配信対象となる画像データを画像形成する際の出力用紙サイズ、用紙の向き、片面・両面印刷の設定、カラーモード、綴じ処理の有無、穴あけ処理の有無等が挙げられる。
【００３９】
また、本実施の形態では、親展文書配信サーバ１２において、画像データに対してセキュリティ保護のための加工処理を施して閲覧対象ユーザに配信する。そこで、配信情報には、配信元のユーザのユーザＩＤ及びユーザ名、配信の日時、配信者用コンピュータ１０を特定する発信元特定情報が付加される。例えば、コンピュータのＩＤ等である。また、配信者用コンピュータ１０が複合機（プリンタ、コピー機、ファックス等が統合的に組み合わされた装置）に含まれている場合には複合機のＩＤでもよい。
【００４０】
ステップＳ１２では、ステップＳ１０で受信された配信情報に基づいて親展文書を配信するネットワークプリンタ１４及び受信者用コンピュータ１６が決定される。親展文書配信サーバ１２の制御部は、記憶部に予め格納されているユーザデータベースを参照して、配信情報に含まれるユーザ特定情報に関連付けられているネットワークプリンタ１４及び受信者用コンピュータ１６を配信先として抽出する。ステップＳ１２は、図１に示す印刷情報管理手段２２及び情報抽出手段２４の一部に相当する。
【００４１】
ユーザデータベースは、図７に示すように、ユーザ特定情報に関連付けて、各ユーザ特定情報で特定されるユーザが利用可能なネットワークプリンタ１４及び各ユーザ特定情報で特定されるユーザが使用している受信者用コンピュータ１６が登録されたデータベースである。ユーザデータベースには、図７に示すように、ユーザＩＤ、ユーザ名、受信者用コンピュータ１６のネットワークアドレス（ＩＰアドレス等）及びユーザが利用可能なネットワークプリンタのプリンタＩＤが登録される。また、ユーザの所属部署をさらに登録してもよい。
【００４２】
本実施の形態では、一人のユーザが複数のネットワークプリンタを利用可能である場合には利用可能なネットワークプリンタの総てがユーザデータベースに登録されている。すなわち、１つのユーザ特定情報に対して複数のネットワークプリンタを関連付けて登録することができる。例えば、図７のユーザデータベースでは、ユーザ名「Ａ」のユーザにはプリンタＩＤがＰ１，Ｐ２，Ｐ３の３つのネットワークプリンタ１４が登録されている。
【００４３】
プリンタデータベースは、図８に示すように、各ネットワークプリンタ１４のＩＤ、ネットワークアドレス（ＩＰアドレス等）、名称が登録される。さらに、プリンタデータベースには、図８に示すように、各ネットワークプリンタの現在の状態を示すステータス情報が登録される。親展文書配信サーバ１２の制御部は、ネットワークを介して、接続されている各ネットワークプリンタ１４が印刷可能状態（オンラインでアイドリング状態）にあるか、印刷不可能状態（オフライン状態）にあるかの情報を受けて、プリンタデータベースのステータス情報を随時更新する。
【００４４】
また、プリンタデータベースには、図８に示すように、各ネットワークプリンタの各ユーザの利用履歴が登録される。親展文書配信サーバ１２の制御部は、ネットワークを介して、接続されている各ネットワークプリンタ１４からの印刷完了情報を受けて、印刷を実行したユーザのユーザＩＤを印刷完了情報から取得して、印刷完了情報の送信元のネットワークプリンタ１４に関連付けて登録されているそのユーザの利用履歴の回数を１ずつ加算する。利用履歴を参照することによって、どのユーザが過去にどのプリンタを何回利用したかを知ることができる。
【００４５】
また、プリンタデータベースには、各ネットワークプリンタ１４で印刷可能である印刷条件を印刷可能情報として登録しておいてもよい。印刷可能情報は、例えば、画像形成可能な出力用紙サイズ、用紙の向き、片面・両面印刷の設定、カラーモード、綴じ処理、穴あけ処理等が挙げられる。
【００４６】
ユーザデータベース及びプリンタデータベースは、親展文書配信サーバ１２の記憶部に保持してもよいし、ネットワークインターフェースを介して親展文書配信サーバ１２の制御部がアクセス可能な外部の記憶部に保持してもよい。
【００４７】
親展文書配信サーバ１２の制御部は、ユーザデータベースを参照して、受信したユーザ特定情報に関連付けられているネットワークプリンタ１４及び受信者用コンピュータ１６を検索及び抽出する。一人のユーザに対して複数のネットワークプリンタ１４が関連付けられている場合には総てのネットワークプリンタ１４を抽出する。
【００４８】
また、同時に複数のユーザ特定情報を受信した場合には、受信した総てのユーザ特定情報について関連付けられているネットワークプリンタ１４及び受信者用コンピュータ１６を検索及び抽出する。
【００４９】
例えば、図７及び図８のデータベースを参照すると、配信情報に配信先のユーザ名として“Ａ”及び“Ｂ”が含まれていた場合、ユーザＡに対してはプリンタＩＤがＰ１，Ｐ２，Ｐ３のネットワークプリンタ１４が抽出され、ユーザＢに対してはプリンタＩＤがＰ１，Ｐ４，Ｐ５のネットワークプリンタ１４が抽出される。
【００５０】
ステップＳ１４では、受信した画像データに対してセキュリティ保護の処理が施される。親展文書配信サーバ１２の制御部は、記憶部から画像データを読み出し、配信情報に含まれている情報及びステップＳ１２で抽出された配信先に関する情報に基づいて画像データにセキュリティ保護の処理を施す。ステップＳ１４は、図１に示す印刷データ生成手段２６の一部に相当する。
【００５１】
具体的には、配信元のユーザのユーザＩＤ及びユーザ名、配信の日時、配信者用コンピュータを特定する発信元特定情報（例えば、コンピュータのＩＤ等。配信者用コンピュータが複合機等に含まれている場合には複合機のＩＤでもよい）、配信先のユーザ名、配信先のプリンタネットワークを特定する情報（プリンタＩＤ等）を加工処理して、透かし画像として画像データの背景に組み込む等の処理を行う。
【００５２】
セキュリティ保護のための処理は、これに限定されるものではなく、既存の処理を適宜適用してもよい。また、セキュリティ保護を施す必要がない場合にはこのステップＳ１４を省略してもよい。
【００５３】
ステップＳ１６では、配信情報で配信先として指定された各ユーザに対する最終的な配信先となるネットワークプリンタ１４が抽出される。本実施の形態では、プリンタのステータス情報及びユーザの利用履歴に基づいて配信先となるネットワークプリンタ１４を決定する。このステップＳ１６は、図１に示す印刷情報管理手段２２及び情報抽出手段２４の一部に相当する。
【００５４】
具体的には、親展文書配信サーバ１２の制御部は、配信先となるユーザの一人を着目ユーザとして、プリンタデータベースを参照することによって、ステップＳ１２において着目ユーザに対して抽出された総てのネットワークプリンタ１４のうち、ステータス情報が印刷可能状態であり、かつ、着目ユーザに対する利用履歴が最も高いネットワークプリンタ１４を最終的な配信先のネットワークプリンタ１４として決定する。
【００５５】
例えば、ステップＳ１２においてユーザＡに対してプリンタＩＤがＰ１，Ｐ２，Ｐ３のネットワークプリンタ１４が抽出された場合、図８のプリンタデータベースを参照すると、プリンタＩＤがＰ１のネットワークプリンタ１４のみが印刷可能状態であるので、プリンタＩＤがＰ１のネットワークプリンタ１４がユーザＡに対する配信先のプリンタとなる。また、ステップＳ１２においてユーザＢに対してプリンタＩＤがＰ１，Ｐ４，Ｐ５のネットワークプリンタ１４が抽出された場合、図８のプリンタデータベースを参照すると、総てのネットワークプリンタ１４が印刷可能状態であるので、ユーザＢの利用履歴が最も高いプリンタＩＤがＰ５であるネットワークプリンタ１４が配信先として決定される。
【００５６】
なお、本実施の形態では、プリンタのステータス情報及びユーザの利用履歴の両方に基づいて配信先のネットワークプリンタ１４を決定したが、いずれか一方に基づいて配信先のネットワークプリンタ１４を決定することもできる。この場合、プリンタデータベースには利用される情報のみを登録しておけばよい。
【００５７】
ステップＳ１８では、着目ユーザに対して発信される印刷データが生成される。親展文書配信サーバ１２の制御部は、ステップＳ１４でセキュリティ保護が施された画像データを、着目ユーザに対する配信先であるネットワークプリンタ１４に対応したプリンタドライバを用いてページ記述言語（ＰＤＬ：Ｐａｇｅ  Ｄｅｓｃｒｉｐｔｉｏｎ  Ｌａｎｇｕａｇｅ）に変換する。それぞれのネットワークプリンタ１４に対するプリンタドライバは親展文書配信サーバ１２の記憶部に予め記憶させておけばよい。このとき、配信情報に含まれていた印刷設定情報及び着目ユーザに対する配信先であるネットワークプリンタの印刷可能情報に応じて着目ユーザに対する配信先であるネットワークプリンタで画像形成が可能なＰＤＬ形式の画像データを生成する。
【００５８】
さらに、ＰＤＬ形式に変換された画像データに配信先となる着目ユーザに対するパスワードを付加する。そして、印刷データを特定する印刷ジョブＩＤ、着目ユーザに対する配信先となるネットワークプリンタ１４のネットワークアドレス（ＩＰアドレス等）、送信元となる親展文書配信サーバ１２のネットワークアドレス（ＩＰアドレス等）、をＰＤＬ形式に変換された画像データに付加してパケット化することによって印刷データに変換する。ステップＳ１８は、図１に示す印刷データ生成手段２６の一部に相当する。
【００５９】
例えば、ステップＳ１６においてユーザＡに対してプリンタＩＤがＰ１のネットワークプリンタ１４が配信先と決定された場合、印刷データには、図９に示すように、印刷ジョブＩＤ、配信先のネットワークプリンタ１４のＩＰアドレス、親展文書配信サーバ１２のＩＰアドレス、及び、着目ユーザに対するパスワードが付加される。
【００６０】
ステップＳ２０では、配信情報に含まれていた総てのユーザに対して印刷データが生成されたか否かが判定される。総てのユーザに対して印刷データが生成されている場合にはステップＳ２２へ処理を移行させる。そうでない場合には、配信情報に含まれていたユーザのうち未だ印刷データが生成されていないユーザを新たな着目ユーザに設定して、ステップＳ１６及びＳ１８の処理を繰り返す。
【００６１】
ステップＳ２２では、印刷データが各ユーザに対して配信される。親展文書配信サーバ１２の制御部は、ネットワークインターフェースを介して、配信先となる各ユーザに対してステップＳ１６において配信先として決定されたネットワークプリンタ１４に対してステップＳ１８で生成された印刷データを送信する。ステップＳ２２は、図１に示す印刷データ送信手段２８の一部に相当する。
【００６２】
ステップＳ２４では、データ送信通知が各ユーザに対して配信される。親展文書配信サーバ１２の制御部は、ネットワークインターフェースを介して、配信先となる各ユーザに対してステップＳ１２において抽出された受信者用コンピュータ１６に対して印刷データが送信された旨を示すデータ送信通知を送信する。データ送信通知には、ユーザに対してどのネットワークプリンタ１４に印刷データを送信したかを示すために、印刷データを送信したネットワークプリンタ１４を特定するプリンタＩＤやプリンタ名を含める。ステップＳ２２は、図１に示す印刷データ送信手段２８の一部に相当する。
【００６３】
なお、印刷データに各ユーザに対するパスワードを付加されている場合、データ送信通知に各ユーザに対するパスワードを含めて送信する。配信先となるユーザは、データ送信通知に含まれているパスワードを用いて認証処理を行うことができる。
【００６４】
＜親展文書印刷処理＞
以下、図１０に示すフローチャートに沿って本実施の形態における親展文書印刷処理を説明する。親展文書印刷処理は、印刷データの送信先となったネットワークプリンタ１４において、親展文書印刷プログラムを実行することによって実現される。
【００６５】
ステップＳ３０では、印刷データが受信される。ネットワークプリンタ１４の制御部３０は、ネットワークを介して、親展文書配信サーバ１２から送信された印刷データを受信する。
【００６６】
ステップＳ３２では、印刷処理の実行の指示が受け付けられ、印刷処理の準備が行われる。自分が使用している受信者用コンピュータ１６に親展文書配信サーバ１２からのデータ送信通知が送信されていることを知ったユーザは、データ送信通知に含まれている印刷データの送信先のネットワークプリンタ１４を特定する情報（プリンタＩＤやプリンタ名）を確認して、そのネットワークプリンタ１４のコントロールパネル３４からユーザを特定する特定情報（ユーザ名等）を入力する。ネットワークプリンタ１４の制御部３０は、コントロールパネル３４からユーザを特定する情報（ユーザ名等）が入力されるとそのユーザに対して既に受信が行われ、記憶部３２に格納されている印刷データをコントロールパネル３４に列挙表示させる。ユーザは、コントロールパネル３４に表示されている印刷データの中から印刷対象とする印刷データを選択する。ネットワークプリンタ１４の制御部３０は、印刷データの選択を受けて、その印刷データを印刷処理に対象として記憶部から読み出す。なお、コントロールパネル３４から印刷ジョブＩＤを直接入力して、印刷対象となる印刷データを特定してもよい。
【００６７】
このとき、印刷データにパスワードが含まれている場合には、パスワードの照合によるユーザの認証処理が行われる。ネットワークプリンタ１４の制御部３０は、印刷データを印刷しようとしているユーザに対してコントロールパネル３４の画面上にパスワードの入力を促す表示を呈示する。ユーザは、データ送信通知によって取得したパスワードをコントロールパネル３４から入力する。ネットワークプリンタ１４の制御部３０は、コントロールパネル３４からパスワードを取得すると、印刷対象として指定された印刷データに含まれているパスワードとの照合処理を行い、パスワードが一致した場合にはステップＳ３４に処理を移行させる。一方、パスワードが一致しない場合には、画像データの画像形成を許可せず、コントロールパネル３４にパスワードが一致していない旨を示す表示等の所定の処理を行い、処理を終了させる。
【００６８】
ステップＳ３４では、印刷データに基づいて画像形成処理が行われる。ネットワークプリンタ１４の制御部３０は、ステップＳ３２で選択された印刷データに含まれるＰＤＬ形式の画像データを画像形成部３６に転送する。画像形成部３６では、画像データを解析して、紙媒体等の記録媒体上に画像データに基づいた画像を形成する。
【００６９】
ステップＳ３６では、印刷完了情報が送信される。ネットワークプリンタ１４の制御部３０は、ステップＳ３４での画像形成処理が完了すると、印刷が完了したことを示す印刷完了情報を親展文書配信サーバ１２へ送信する。印刷完了情報には、印刷データを特定する印刷ジョブＩＤ、印刷が実際に行われたネットワークプリンタ１４のプリンタＩＤ及びネットワークアドレス（ＩＰアドレス等）を付与する。
【００７０】
＜変形例１＞
上記実施の形態では、一人のユーザに対して複数のネットワークプリンタ１４が関連付けられていた場合、ステップＳ１６において１つのネットワークプリンタ１４を最終的な配信先として選択する処理を行う。しかしながら、一人のユーザに対して複数のネットワークプリンタ１４が関連付けられていた場合、ステップＳ１６でのプリンタの選択処理を省略して、ステップＳ１８ではそれら総てのネットワークプリンタ１４に対する印刷データを生成し、ステップＳ２２においてそれら総てのネットワークプリンタ１４に印刷データを送信するものとしてもよい。この場合、ステップＳ２４では、各ユーザに対して選択された総てのプリンタを特定する情報をデータ送信通知に含めて各ユーザへ送信する。
【００７１】
一方、配信先となるユーザは、自分が使用している受信者用コンピュータ１６に親展文書配信サーバ１２からのデータ送信通知が送信されていることを知ると、データ送信通知に含まれている複数のネットワークプリンタ１４から利便の良いネットワークプリンタ１４を１つ選択し、そのネットワークプリンタ１４のコントロールパネル３４から印刷ジョブのＩＤを入力してデータを特定する。その後、そのネットワークプリンタ１４においてステップＳ３２〜Ｓ３６の処理が行われる。
【００７２】
そして、親展文書配信サーバ１２は、ネットワークを介して印刷完了情報を受信すると、印刷完了情報に含まれている印刷ジョブＩＤを参照して、その印刷ジョブＩＤで特定される印刷データを送信した複数のネットワークプリンタ１４のうち、印刷完了情報の送信元であるネットワークプリンタ１４以外のネットワークプリンタ１４へ印刷処理の中止命令を送信する。
【００７３】
＜変形例２＞
また、親展文書配信サーバ１２において印刷有効期限の管理を行ってもよい。図６に示すように、配信者から指定された印刷設定情報に印刷有効期限が含まれていた場合、親展文書配信サーバ１２から印刷データをネットワークプリンタ１４へ送信する際に、親展文書配信サーバ１２はその印刷データに対応付けて印刷有効期限を保持及び管理する。
【００７４】
親展文書配信サーバ１２は、内蔵クロック等を参照して、印刷有効期限が過ぎた時点で印刷データを配信したネットワークプリンタ１４のいずれからも印刷完了情報が返信されていない場合、配信先としたネットワークプリンタ１４の総てに対してその印刷データを削除する命令を送信する。削除命令を受けたネットワークプリンタ１４の制御部３０は、は、その印刷データを記憶部３２から削除する。
【００７５】
＜変形例３＞
上記実施の形態では、親展文書配信サーバ１２は、配信者用コンピュータ１０から送信されてきた画像データをネットワークプリンタ１４へ配信する処理を示した。本変形例では、文書管理サーバに保存されている画像データを配信する処理について説明する。
【００７６】
本変形例における文書配信システムは、図１１に示すように、図１に示す文書配信システムの構成に加えて文書管理サーバ４０を含む構成となっている。文書管理サーバ４０は、配信者用コンピュータ１０、親展文書配信サーバ１２、ネットワークプリンタ１４及び受信者用コンピュータ１６と情報交換可能になるようにネットワークを介して相互に接続される。
【００７７】
文書管理サーバ４０は、一般的なコンピュータを含んで構成される。すなわち、制御部（ＣＰＵ）、半導体メモリ等の記憶部、キーボード等の入力部、ディスプレイ等の出力部及びネットワークインターフェースを備えるコンピュータで構成することができる。
【００７８】
文書管理サーバ４０は、内蔵する記憶部に格納されている文書抽出プログラムを実行することによって、図１１に示すように、文書情報管理手段４２、文書情報抽出手段４４、文書情報送受信手段４６として機能する。これらの機能は、以下の文書情報抽出処理の工程に対応するものである。
【００７９】
なお、文書管理サーバ４０には、ネットワークを介して接続されている配信者用コンピュータ１０、受信者用コンピュータ１６、その他のネットワークを介して接続されているコンピュータから画像データをアップデートすることができる。また、図１１に示すように、ネットワークに接続されているネットワーク複合機５０から画像データをアップロードすることもできる。アップロードされた画像データは、内蔵記憶部にデータベースとして保持される。これが、図１１の文書情報送受信手段４６に相当する。
【００８０】
ネットワーク複合機５０は、ネットワークインターフェースを備えたスキャナ及びプリンタを含む装置である。ネットワーク複合機５０は、図１２に示すように、制御部６０、記憶部６２、コントロールパネル６４、画像形成部６６、画像読取部６８及びネットワークインターフェース７０を含んで構成される。
【００８１】
制御部６０は、各部を統合的に制御する部であり、ＣＰＵを含んで構成される。記憶部６２は、制御部６０で実行される複合機制御プログラムを格納すると共に、ネットワークや画像読取部６８を用いて取得された画像データ等の各種情報を一時的に保持する。コントロールパネル６４は、ユーザからの情報の入力及びユーザへの情報の提示を行うものであり、例えば、液晶タッチパネル等を含んで構成することができる。画像形成部６６は、制御部６０からの印刷指示を受けて、紙媒体等の記録媒体上に記憶部６２に保持されている画像データに基づいた画像を形成する。画像形成部６６は、例えば、電子写真方式の画像形成装置を含んで構成することができる。画像読取部６８は、ＣＣＤ等の光電変換素子を備えたスキャナを含んで構成される。画像読取部６８は、コントロールパネル６４からのユーザの画像読取指示を受けて、プラテン等に置かれた原稿から画像を読み取り、デジタル情報である画像データに変換して記憶部６２に格納する。ネットワークインターフェース７０は、ネットワークを介して、親展文書配信サーバ１２、ネットワークプリンタ１４、受信者用コンピュータ１６及び文書管理サーバ４０等の情報端末と相互に情報の授受を行う。
【００８２】
ユーザは、コントロールパネル６４から画像の読取処理と送信処理を指示する。制御部６０は、読取処理の指示を受けると、画像読取部６８に原稿から画像データを読み込ませる。さらに、制御部６０は、送信処理の指示を受けると、記憶部６２に保持された読込画像データを読み出し、ネットワークインターフェース７０を用いることによってネットワークを介して文書管理サーバ４０へ送信する。
【００８３】
本変形例における親展文書配信処理は、図１３に示すフローチャートに沿って実行される。なお、図１３において、上記実施の形態における親展文書配信処理と同様の処理を行うステップには図３と同じ符号を付して説明を省略する。
【００８４】
ステップＳ１０Ａでは、配信者用コンピュータ１０から親展文書の配信を指示する配信情報が受信される。親展文書配信サーバ１２の制御部は、ネットワークインターフェースを用いてネットワークを介して、配信者用コンピュータ１０から配信情報を受信する。ステップＳ１０Ａは、本変形例において図１に示す印刷要求受信手段２０に相当する。
【００８５】
配信情報は、図１４に示すように、配信先となるユーザを特定するユーザ特定情報、配信対象となる画像データを特定するドキュメント特定情報（以下では、画像特定情報として説明する。例えば、ファイル名でよい。）、及び、印刷の条件を示す印刷設定情報が含まれる。
【００８６】
なお、図１１に示すシステム構成では、ネットワーク複合機５０から配信情報を親展文書配信サーバ１２へ直接送信することもできる。ユーザはコントロールパネル６４から配信先となるユーザを特定するユーザ特定情報、配信対象となる画像データを特定する画像特定情報（例えば、ファイル名）、及び、印刷の条件を示す印刷設定情報を指定して親展文書配信サーバ１２へ送信させる。
【００８７】
ステップＳ１４Ａでは、受信した画像特定情報に基づいて文書管理サーバ４０から画像データを取得し、その画像データに対してセキュリティ保護の処理が施される。親展文書配信サーバ１２の制御部は、ステップＳ１０Ａで受信した配信情報に含まれる画像特定情報（ファイル名等）を記憶部から読み出し、ネットワークを介して、その画像特定情報を含むデータ送信要求を文書管理サーバ４０へ送信する。
【００８８】
文書管理サーバ４０の制御部は、画像特定情報を含むデータ送信要求を受信すると、その画像特定情報で特定される画像データを記憶部から読み出す。画像データを格納及び保持する記憶部は図１１に示す文書情報管理手段４２に相当し、この処理は図１１に示す文書情報抽出手段４４に相当する。読み出された画像データは、親展文書配信サーバ１２へ返信される。
【００８９】
親展文書配信サーバ１２の制御部は、配信情報に含まれている情報及びステップＳ１２で抽出された配信先に関する情報に基づいて、文書管理サーバ４０から返信されてきた画像データにセキュリティ保護の処理を施す。この処理は、本変形例における図１に示す印刷データ生成手段２６の一部に相当する。セキュリティ保護の処理は、図３のステップＳ１４と同様に行うことができる。
【００９０】
＜変形例４＞
上記実施の形態では、配信者用コンピュータ１０から配信情報を親展文書配信サーバ１２へと送信することによって文書の配信を行う処理を示した。本変形例では、文書管理サーバ４０を用いることなく、ネットワーク複合機５０から配信情報を送信する処理について説明する。
【００９１】
本変形例における文書配信システムは、図１５に示すように、図１に示す文書配信システムの構成の配信者用コンピュータ１０に代えてネットワーク複合機５０を備えた構成となっている。ネットワーク複合機５０は、親展文書配信サーバ１２、ネットワークプリンタ１４及び受信者用コンピュータ１６と情報交換可能になるようにネットワークを介して相互に接続される。
【００９２】
ユーザは、コントロールパネル６４から画像の読取処理と送信処理を指示する。制御部６０は、読取処理の指示を受けると、画像読取部６８に原稿から画像データを読み込ませる。さらに、制御部６０は、送信処理の指示を受けると、記憶部６２に保持された読込画像データをネットワークを介して親展文書配信サーバ１２へ直接送信する。
【００９３】
配信情報は、図４と同様に、配信先となるユーザを特定するユーザ特定情報、配信対象となる画像データ、及び、印刷の条件を示す印刷設定情報を含む。ユーザ特定情報は、例えば、コントロールパネル６４を用いてユーザによって指定される。印刷設定情報は、図６と同様に、配信対象となる画像データを画像形成する際の出力用紙サイズ、用紙の向き、片面・両面印刷の設定、カラーモード、綴じ処理の有無、穴あけ処理の有無等が挙げられる。印刷設定情報も、コントロールパネル６４を用いてユーザによって指定される。
【００９４】
以下の処理は、図３のフローチャートに沿って行うことができる。したがって、ここでは説明を省略する。
【００９５】
また、図１６に示すように、配信順序や受信者履歴を紙等の記録媒体に印刷した受信者情報リストを用いて、この受信者情報リストを画像読取部６８で読み取り、その内容を取得して配信情報に含めて送信することもできる。このとき、親展文書配信サーバ１２では、受信者情報リストに含まれている配信先ユーザ全員に同時に配信を行ってもよいし、受信者情報リストに含まれている受信者履歴を参照し、未だ受信を行っていない配信先ユーザに対して配信順序に従って配信を行ってもよい。
【００９６】
図１６の例では、配信順序１〜３の配信先ユーザは「受信履歴」の項目が既にマークされている。すなわち、配信順序１〜３の配信先ユーザには既に印刷データが送信され、配信が終了していることを意味している。そこで、この受信者情報リストをスキャンして生成された配信情報を受信した親展文書配信サーバ１２は、未だ配信が終了していない配信先ユーザのうち配信順序の優先順位が最も高い配信順序４のユーザが使用可能なネットワークプリンタ１４に対して印刷データを送信する。
【００９７】
このとき、配信先となったユーザが利用可能なネットワークプリンタ１４、すなわち配信順序４のユーザが利用可能なネットワークプリンタ１４に対して、図１７のように、配信順序４のユーザの受信履歴を受信済みとした受信者情報リストを送信して印刷させてもよい。配信順序４のユーザがその新たな受信者情報リストをネットワーク複合機５０により読み取らせることによって次の配信順序５のユーザへ配信を行うことができる。
【００９８】
これは、紙文書に承認者が承認印を捺印し（サインを行い）、次の承認者に渡すような回覧等の処理を容易にすることができる。
【００９９】
なお、紙媒体等の記録媒体に受信者情報リストを複合機で親展文書と共に読み取らせる場合について説明したが、受信者情報リストは複合機内に保持されているアドレス帳情報や文書管理サーバ４０等に保持されているユーザ情報に基づいてリストを自動生成してもよい。例えば、ネットワーク複合機５０内に予め記憶させていたアドレス帳内のユーザ情報やメールアドレスをコントロールパネル６４にリスト表示し、配信者となるユーザにその中から配信先ユーザを選択させてもよい。制御部６０は、選択されたユーザに対する受信者情報リストを自動生成し、親展文書（画像データ）と共に親展文書配信サーバ１２に送信する。
【図面の簡単な説明】
【０１００】
【図１】本発明の実施の形態における文書配信システムの全体構成を示す図である。
【図２】本発明の実施の形態におけるネットワークプリンタの構成を示す図である。
【図３】本発明の実施の形態における親展文書配信処理のフローチャートである。
【図４】本発明の実施の形態における配信情報の構成を示す図である。
【図５】本発明の実施の形態におけるユーザ特定情報の内容を示す図である。
【図６】本発明の実施の形態における印刷設定情報の内容を示す図である。
【図７】本発明の実施の形態におけるユーザデータベースの登録例を示す図である。
【図８】本発明の実施の形態におけるプリンタデータベースの登録例を示す図である。
【図９】本発明の実施の形態における印刷データの構成の例を示す図である。
【図１０】本発明の実施の形態における親展文書印刷処理のフローチャートである。
【図１１】本発明の変形例における文書配信システムの全体構成を示す図である。
【図１２】本発明の変形例におけるネットワーク複合機の構成を示す図である。
【図１３】本発明の変形例における親展文書配信処理のフローチャートである。
【図１４】本発明の変形例における配信情報の構成を示す図である。
【図１５】本発明の変形例における文書配信システムの全体構成を示す図である。
【図１６】本発明の変形例における受信者情報リストの例を示す図である。
【図１７】本発明の変形例における受信者情報リストの例を示す図である。
【符号の説明】
【０１０１】
１０  配信者用コンピュータ、１２  親展文書配信サーバ、１４  ネットワークプリンタ、１６  受信者用コンピュータ、２０  印刷要求受信手段、２２  印刷情報管理手段、２４  情報抽出手段、２６  印刷データ生成手段、２８  印刷データ送信手段、３０  制御部、３２  記憶部、３４  コントロールパネル、３６  画像形成部、３８  ネットワークインターフェース、４０  文書管理サーバ、４２  文書情報管理手段、４４  文書情報抽出手段、４６  文書情報送受信手段、５０  ネットワーク複合機、６０  制御部、６２  記憶部、６４  コントロールパネル、６６  画像形成部、６８  画像読取部、７０  ネットワークインターフェース。
【図１】
2008040935.tif 000003
【図２】
2008040935.tif 000004
【図３】
2008040935.tif 000005
【図４】
2008040935.tif 000006
【図５】
2008040935.tif 000007
【図６】
2008040935.tif 000008
【図７】
2008040935.tif 000009
【図８】
2008040935.tif 000010
【図９】
2008040935.tif 000011
【図１０】
2008040935.tif 000012
【図１１】
2008040935.tif 000013
【図１２】
2008040935.tif 000014
【図１３】
2008040935.tif 000015
【図１４】
2008040935.tif 000016
【図１５】
2008040935.tif 000017
【図１６】
2008040935.tif 000018
【図１７】
2008040935.tif 000019